(57)【特許請求の範囲】
【請求項１】
既設天井板に、その内部に照明体を備えた既設照明ボックスを配設し、かつ、前記既設照明ボックス下部を既設遮蔽板で覆うようにした乗りかご照明装置の改修方法において、
前記既設遮蔽板を取外した後、前記既設天井板と既設照明ボックスの外側取り付け部分の各々に、下方に垂下する取付け片を有する所定幅のブラケットをジスタントピースを介してボルト・ナットにより取外し自在に固定し、しかる後、前記ブラケットの取付け片に、天井目地枠を取付け、この天井目地枠に前記既設照明ボックスを覆う新設の遮蔽板を取外し自在に設けたことを特徴とする乗りかご照明装置の改修方法。
【請求項２】
既設天井板に、その内部に照明体を備えた既設照明ボックスを配設し、かつ、前記既設照明ボックス下部を既設遮蔽板で覆うようにした乗りかご照明装置の改修方法において、
前記既設遮蔽板を取外した後、前記既設天井板の照明穴近傍の上方側に、端部が照明穴より突出する所定長さのプレートを設け、このプレートに、前記既設天井板を挟んで新設のブラケットをボルト・ナットにより固定し、このブラケットに天井目地枠を取付け、この天井目地枠に前記既設照明ボックスを覆う新設の遮蔽板を取外し自在に設けたことを特徴とする乗りかご照明装置の改修方法。
【発明の詳細な説明】
【０００１】
【発明の属する技術分野】
本発明はエレベーターの乗りかご照明装置の改修方法に関する。
【０００２】
【従来の技術】
古い型の乗りかご照明装置として、例えば、実開昭６３−７７９７２号公報に示すような、天井板に、その内部に照明体を備えた照明ボックスを配設し、かつ、前記照明ボックス下部を遮蔽板で覆うようにしたものがある。そして、このような古い型の照明装置を改修する方法として、従来、天井板全体を取外し、新しい意匠の照明装置を備えた天井板を取付けるという方法が取られていた。
【０００３】
【発明が解決しようとする課題】
上記従来の改修方法においては、天井板全体の取り替えとなるため、現地での加工作業が必要となり、改修に多大の時間と費用がかかるという問題があった。
【０００４】
本発明の目的は、現地加工を無くし、かつ、短時間で作業でき、費用の安い乗りかご照明装置の改修方法を提供するにある。
【０００５】
【課題を解決するための手段】
上記目的を達成するために、本発明では、既設天井板に、その内部に照明体を備えた既設照明ボックスを配設し、かつ、前記既設照明ボックス下部を既設遮蔽板で覆うようにした乗りかご照明装置の改修方法において、前記既設遮蔽板を取外した後、前記既設天井板と既設照明ボックスの外側取り付け部分の各々に、下方に垂下する取付け片を有する所定幅のブラケットをジスタントピースを介してボルト・ナットにより取外し自在に固定し、しかる後、前記ブラケットの取付け片に、天井目地枠を取付け、この天井目地枠に前記既設照明ボックスを覆う新設の遮蔽板を取外し自在に設けた構成にしてある。
【０００６】
このように、既設天井板と既設照明ボックスを流用するため、費用が格段に安くできるばかりか、ブラケットをボルトやねじの締結体で取付けるだけであるため、現地での加工作業は不要となり、作業を短時間で行うことができる。
【０００７】
【発明の実施の形態】
以下本発明の乗りかご照明装置の改修方法の一実施形態を図を用いて説明する。
【０００８】
図１は本発明の一実施形態になる改修方法により改修された照明装置の上部平面図、図２は図１のＡ−Ａ断面図、図３は図１のＢ−Ｂ断面図、図４はブラケットを他の方法で取付けた場合の図２相当図、図５は図３相当図である。
【０００９】
図１〜３において、１は側板で、この側板１の上部に天井本体２が固設されている。３は前記天井本体２の内側に設けられた天井板で、この天井板３の中央部には脱出のためのマンホール４が設けられ、このマンホール４を境にして左右２個ずつの穴５が対称に設けられている。この穴５の天井板３部分にはＬ字型の補強体６が設けられ、この補強体６を介して上方に突出する照明ボックス７がボルト８により取付けられている。前記照明ボックス７内には、リングライト等の照明体９が設けられている。この構成は従来通りであり、しかも、従来、前記穴５のそれぞれに半透明の既設遮蔽板（図示せず）がそれぞれ取付けられていた。
【００１０】
改修に当たっては、天井板３、照明ボックス７は既設のままとし、まず前記既設遮蔽板を取り除くと共に、前記既設照明ボックス７を取付けていた外側のボルト８を長尺のボルト１０に取り替え、ジスタントピース１１を介して、下方に垂下する所定幅の取付け片１２を備えたブラケット１３をナット１４により取付ける。次いで、前記取付け片１２に、天井板３の下方全体を囲む、ビス１５を設けた天井目地枠１６を、ナット１７により取付ける。そして、天井板３の下方全体を覆うように長方形の新設遮蔽板１８を天井目地枠１６に組込み作業を終了する。
【００１１】
このように、天井板３、照明ボックス７等は既設のものが流用され、新設として準備されるのは４本の長尺ボルトとナット、４個のジスタントピース、４個のブラケット、８本のビスとナット、１組の天井目地枠、３つの遮蔽板だけであり費用が極めて安く済むばかりか、作業も一人でしかも短時間に行えるという顕著な作用効果を達成することができる。
【００１２】
次に、他の実施形態を図４、図５を用いて説明する。
【００１３】
図４、図５において、既設照明装置の構成は、前記実施形態の構成と同一である。
【００１４】
改修に当たっては、天井板３、照明ボックス７は既設のままとし、まず前記既設遮蔽板を取り除くと共に、前記穴５近傍の上方に、一部の幅が穴５側に突出する所定長さのプレート１９を設け、このプレート１９に、天井板３を挟んで下方に垂下する所定幅の取付け片２０を備えたブラケット２１をボルト２２とナット２３により取付ける。次いで、前記取付け片２０に、天井板３の下方全体を囲む、ビス１５を設けた天井目地枠１６を、ナット１７により取付ける。そして、天井板３の下面全体を覆うように長方形の新設遮蔽板１８を天井目地枠１６に組込み作業を終了する。
【００１５】
このように、天井板３、照明ボックス７等は既設のものが流用され、新設として準備されるのは４個のプレート、８本のボルトとナット、４個のブラケット、８本のビスとナット、１組の天井目地枠、３つの遮蔽板だけであり、前記実施形態と同等の作用効果を達成することができる。
【００１６】
【発明の効果】
本発明によれば、既設天井板と既設照明ボックスを流用するため、費用が格段に安くできるばかりか、ブラケットをボルトやねじの締結体で取付けるだけであるため、現地での加工作業は不要となり、作業を短時間で行うことができるという顕著な効果を達成することができる。
【図面の簡単な説明】
【図１】本発明の一実施形態になる改修方法により改修された照明装置の上部平面図である。
【図２】図１のＡ−Ａ断面図である。
【図３】図１のＢ−Ｂ断面図である。
【図４】ブラケットを他の方法で取付けた場合の図２相当図である。
【図５】ブラケットを他の方法で取付けた場合の図３相当図である。
【符号の説明】
１      側板
２      天井本体
３      天井板
４      マンホール
５      穴
７      照明ボックス
９      照明体
１１    ジスタントピース
１３    ブラケット
１６    天井目地枠
１８     遮蔽板
１９    プレート
２１    ブラケット
【図１】
0003797946.tif 000002
【図２】
0003797946.tif 000003
【図３】
0003797946.tif 000004
【図４】
0003797946.tif 000005
【図５】
0003797946.tif 000006